【事件の表示】
　平成　２年　特　許　願　第１０８１３１号「タッチパネルのタッチ操作検出装置」拒絶査定に対する審判事件（平成４年１月　９日出願公開、特開平　４−　　５７１７）について、次のとおり審決する。
【結論】
　本件審判の請求は、成り立たない。
【理由】
Ｉ．出願の経緯及び本願発明の要旨
　本件審判請求に係る特許出願は、平成２年４月２４日になされたものであって、その請求項１に係る発明の要旨は、出願当初明細書及び図面、手続補正書の記載から見て、平成１１年５月６日付け手続補正書の特許請求の範囲の請求項１に記載される次のとおりのものである。
「（１）操作用矩形領域の隣合う２辺に配設された複数の発光素子と、
　　前記矩形領域の他の隣合う２辺に前記発光素子のそれぞれと１対１で対応する関係で配設された複数の受光素子と、
　　前記発光素子のいずれかを選択して順次発光させ且つ発光した発光素子に対応する受光素子の検出信号を読み込み、受光レベルを検出してタッチ操作の箇所を判定するタッチ操作箇所検出動作を所定周期Ｔで実行する制御手段とを備えるタッチパネルのタッチ操作検出装置において、
　前記制御手段は、
　前記複数の発光素子の内の任意の１個を選択する選択指令を順次出力して、前記隣合う２辺の内の１辺の発光素子を順次発光させた後、他の１辺の発光素子を順次発光させる発光素子の点灯動作を前記所定周期Ｔで起動するように制御するタッチ操作箇所検出指令手段と、
　　タッチ操作箇所検出のための前記周期Ｔに関し少なくとも短周期Ｔ０とこの短周期Ｔ０より周期の長い長周期Ｔ１を有し、基本的に前記短周期Ｔ０を設定する周期設定手段と、
　　前記受光素子の検出信号に基づいてタッチ操作の有無を判定する判定手段と、この判定手段がタッチ操作なしと判定する時間をカウントするカウント手段と、
　　このカウント手段のカウント値が所定値以上になったとき前記周期設定手段にて長周期Ｔ１を設定する周期変更手段を有することを特徴とするタッチパネルのタッチ操作検出装置。」
（以後、本願発明と称す。）
ＩＩ．引用刊行物
　これに対し、当審で拒絶の理由として引用した実願昭６２−５５９３４号（実開昭６３−１６３５３２号）のマイクロフイルム（以後、刊行物１と称す。）には、入力項目を表示する視覚表示装置の画面上に張られた光線路を指等で遮ることにより情報入力を行なう情報入力装置に関し、「従来の情報入力装置では、入力があるかどうか
を常に光学系センサの駆動を行なっていなければならず、それに件って非入力時においても消費電力が多く、かつ発熱量も多くなり周辺機器に対する影響が大きかったという問題点があった。
　本考案はこれらの問題点を解決するためのもので、消費電力を抑えて発熱量を低下させ、周辺機器に及ぼす影響を低減させることができる情報人力装置を提供することを目的とする。」（明細書第２頁第１９行〜第３頁第８行）、
「入力項目を表示する視覚表示部と．該視覚表示部の表示画面周囲の縦横辺の一方に複数の発光素子を、他方に縦横辺に前記発光素子に対向するように受光素子を配置してマトリックス状の光を形成し、表示画面上の任意の位置を指等によって光路を遮ることにより前記任意の位置の座標を検出する座標検出部とを具備し、前記座標検出部により前記任意の位置の座標相当する入力項目を検知して所望の情報を入力する情報入力装置において、
　前記座標検出部に対しての入力がないときは前記座標検出部の駆動モードを低速度モードに、前記座標検出部に対しての入力があったときは前記座標検出部の駆動モードを高速度モードに切り換える駆動制御部を含むことを特徴とする情報入力装置。」（実用新案登録請求の範囲）、
「第１図は本考案の一実施例による情報人力装置の構成を示すブロック図である。同図において、１は情報及び操作項目を表示するＣＲＴ、２はＣＲＴ１の両面周囲の縦横方向の一方に配置された複数の発光素子を駆動させる発光素子駆動部、３は発光素子駆動部２のＸ軸方向の発光素子と対向して配置された受光素子群、４は発光素子駆動部２のＹ軸方向の発光素子と対向して配置された受光素子群、５は発光素子駆動部２及び受光素子群３並びに受光素子群４を各々制御し、かつ受光素子群３，　４からの各検出信号に基づいて座標位置を検出する制御検出回路、６は入力検知時から一定時間経過すると指示信号を出力するタイマである。
　次に、第１図及び本実施例の動作フローを示す第２図並びに第１図の発光素子駆動部２の出力とタイマ６の指示信号の関係を示す第３図を用いて本実施例の動作について説明する。
　先ず、第１図の制御検出回路５は発光素子駆動部２及び受光素子群３，　４を低速度センスモードに設定する（ステップ１０１）。よって、受光素子群３，　４は低速度センスモードによって入力検出持ちとなる（ステップ１０２）。第３図に示すように時刻ｔ０時に入力が検出されると、直ちに制御検出回路５は発光素子能動部２及び受光素子群３，　４を高速度センスモードに設定し、受光素子群３，　４は高速度センスモードで入力検出を行な
う（ステップ１０３）。同時に、制御検出回路５はタイマ６の動作を開始させる（ステップ１０４）。
　　　次に、受光素子群３，　４によりＸ、Ｙ座標の検出が行なわれ（ステップ１０５）、もし検出不能の場合はタイマ６により一定時間経過したかを判断し（ステップ１０６）、一定時間経過していない場合は再びＸ、Ｙ座標の検出が行なわれる。
　一方、一定時間経過した場合、第３図に示すように時刻ｔ１時に制御検出回路５はタイマ６をクリヤにして（ステップ１０７）発光素子駆動部２及び受光素子群３，　４を低速度センスモードに設定する。ステップ１０５でＸ、Ｙ軸座標の検出が行われると、Ｘ、Ｙ座標のデータを送出し（ステップ１０８）タイマ６をクリヤにして（ステップ１０９）ステップ１０４に戻り再びタイマの動作を開始させてＸ、Ｙ座標の検出を行なう。」（明細書第５頁第１行〜第７頁第３行）、
「本考案によれば、座標検出部に対しての入力がないときは駆動制御部により座標検出部の駆動モードを低速度モードに切り換えて座標検出部の発光素子を低速度で順次発光させる。また、座標検出部に対しての入力があったときは駆動制御部により座標検出部の駆動モードを高速度モードに切り換えて座標検出部の発光素子を高速度で順次発光させる。」（明細書第４頁第６〜１３行）、
ことが記載されている。
ＩＩＩ．対比
　本願発明を刊行物１に記載の発明と対比すると、刊行物１に記載の「入力項目を表示する視覚表示部の表示画面」及び「ＣＲＴ１」が本願発明の「操作用矩形領域」に、刊行物１に記載の「表示画面上の任意の位置を指等によって光路を遮ることにより前記任意の位置の座標を検出する座標検出部」、及び「発光素子駆動部２」と「受光素子駆動部３」と「発光素子駆動部２及び受光素子群３並びに受光素子群４を各々制御し、かつ受光素子群３，４からの各検出信号に基づいて座標位置を検出する制御検出回路５」の３つからなる組が本願発明の「発光素子を順次発光させ且つ発光した発光素子に対応する受光素子の検出信号を読み込み、受光レベルを検出してタッチ操作の箇所を判定するタッチ操作箇所検出動作を所定時間で実行する制御手段」に、刊行物１に記載の「情報入力装置」が本願発明の「タッチパネルのタッチ操作検出装置」に夫々相当する。そして、刊行物１に記載の「発光素子」と「受光素子」とは対向配置されて１１対１」の対応関係にあり、また刊行物１に記載の「制御検出回路５」及び「タイマ６」からなる「駆動制御部」は本願発明の「制御手段」と同様に「タッチ操作箇所検出のための短周期（高速度センスモード時）と長周期（低速度センスモード時）の２つの点灯周期を有し、受光素子の検出信号に基づいてタッチ操作の有無を判定し、時間のカウント手段であるタイマ６の測定により一定時間経過後も入力が検出されないとき、点灯周期を長周期に変更設定する」。
　これらを総合すると、両者は、
「操作用矩形領域の隣合う２辺に配設された複数の発光素子と、
　前記矩形領域の他の隣合う２辺に前記発光素子のそれぞれと１対１で対応する関係で配設された複数の受光素子と、
　前記発光素子を順次発光させ且つ発光した発光素子に対応する受光素子の検出信号を読み込み、受光レベルを検出してタッチ操作の箇所を判定するタッチ操作箇所検出動作を所定周期で実行する制御手段とを備えるタッチパネルのタッチ操作検出装置において、
　前記制御手段は、
　前記複数の発光素子の内の前記隣合う２辺の発光素子を順次発光させ、発光素子の点灯動作を前記所定周期で起動するように制御し、
　タッチ操作箇所検出のための前記周期に関し少なくとも短周期とこの短周期より周期の長い長周期を有し、
　前記受光素子の検出信号に基づいてタッチ操作の有無を判定するものであって、
　タッチ操作なしと判定するための時間を計測し、
　この計測値が所定値以上になったとき長周期を設定することを特徴とするタッチパネルのタッチ操作検出装置。」
である点で一致し、以下の各点で相違する。
相違点１
　　本願発明では、制御回路で「複数の発光素子の内の任意の１個を選択する選択指令を順次出力して、前記隣合う２辺の内の１辺の発光素子を順次発光させた後、他の１辺の発光素子を順次発光させる」発光制御を行っているのに対し、刊行物１に記載の発明では、「視覚表示部の表示画面周囲の縦横辺の一方に複数の発光素子を、他方に縦横辺に前記発光素子に対向するように受光素子を配置してマトリックス状の光を形成し」ており、発光順序は明確ではない。
相違点２
　　本願発明では、制御手段が「複数の発光素子の内の任意の１個選択する選択指令を順次出力して、発光素子を順次発光させる」のに対して、刊行物１に記載の発明では、ただ「発光素子を順次発光させる」とのみ記載されている。
相違点３
　　本願発明では、発光素子の点灯周期が基本的には短周期に設定されており、一定時間入力が無いとき長周期に設定を変更されるのに対し、刊行物１に記載の発明では、当初長周期（低速度センスモード）に設定されて入力検出待ちになり、入力を検知すると直ちに短周期（高速度センスモード）に設定変更され、変更後一定時間入力が無ければ再度長周期に変更して入力検出待ちとなる。
相違点４
　　本願発明では、制御手段が発光素子の点灯動作を制御する「タッチ操作箇所検出指令手段」、発光素子の点灯周期を設定する「周期設定手段」タッチ操作の有無を判定する「判定手段」、「判定手段」がタッチ操作なしと判定する時間をカウントする「カウント手段」、「カウント手段」のカウント値に応じて前記「周期設定手段」にて点灯周期の設定を変更する「周期変更手段」がそれぞれ規定されているのに対し、刊行物１に記載の発明では、それぞれの機能は「駆動制御部」の機能として記載されているものの各機能の実現手段を具体的には規定していない。
ＩＶ．当審の判断
　各相違点について詳細に検討する。
１．相違点１について
　　「複数の発光素子の内の任意の１個を選択する選択指令を順次出力して、前記隣合う２辺の内の１辺の発光素子を順次発光させた後、他の１辺の発光素子を順次発光させる」ことは、特開昭６３−５２２２９号公報、特開昭６３−７８２１９号公報等に示されるように、遮光式タッチパネルのスキャニング技術における常套手段に過ぎず、この相違は格別のものではない。
２．相違点２について
　「複数の発光素子の内の任意の１個選択する選択指令を順次出力して、発光素子を順次発光させる」ことも特開昭６０−２０７９２３号公報（特に従来技術）、特開昭５８−１５８７３１号公報、特開昭６３−８９２０号公報、特開昭５８−１５８７３号公報、特開昭６１−５２７３０号公報等に示されるようにやはり遮光式タ
ッチパネルで周知慣用される常套のスキャン方
法の一つに過ぎない。
３．相違点３について
　　点灯周期を基本的に短周期に設定するか、当初長周期に設定して入力待ち状態にしておき入力検出にともなって直ちに短周期に設定を変更するかは、発光素子の消費電力の大きさ（消費電力が小さければ短周期でもよいが大きいときは長周期が遥かに有利）、検出応答速度（長周期に設定してあれば、最初の入力検出の遅れ、短周期への設定変更に伴う遅れなどにより最初の応答に若干の遅れが生じる）等の他の要因の利害得失を考慮して選択すべき設計的事項に過ぎない。
　（備考：本願発明のものでは一旦長周期に設定変更した後、実際に検知を行う短周期に戻す方法が不明であるが、事実上刊行物１に記載の発明の方法と同じにならざるを得ないと考えられる。）
４．相違点４について
　　刊行物１に記載の発明でも、本願発明の「制御手段」に相当する「駆動制御部」が「制御検出回路５」と「タイマ６」とで構成され、「制御検出回路５」で、発光素子駆動部２を制御して高速度センスモード、低速度センスモードの２つの発光周期で発光制御し、受光素子群３，４からの各種検出信号に基づいて座標位置を決定すると共に、「タイマ６」で最初のタッチ検出に基づく高速度センスモードへの設定（発光周期の短周期への設定）からの経過時間を測定し、一定時間経過しても入力が無いときは、「タイマ６」の指示信号により、「制御検出回路」
で一定時間経過したと「判断］し（ステップ１０６）、低速度センスモードヘ設定する（長周期に設定変更する）ので、「制御検出回路５」の各部がそれぞれ「タッチ操作箇所検出指令手段」「周期設定手段」「判定手段」「周期変更手段」に相当し、「タイマ６」が「カウント手段」に相当すると言えることから、「制御駆動部」が本願発明の各手段を備えていると認められる。
　　従って、この相違は実質的な相違とはいえない。
　以上から、これら相違点１〜４に挙げた相違は事実上の相違では無かったり、同じ技術分野における慣用技術、常套手段を単純に加えただけであっていずれも格別のものとは認められない。
Ｖ．むすび
　以上のとおり、本案の請求項１に係る発明は、刊行物１に記載された発明及び慣用技術、常套手段に基づいて当業者が容易に発明をすることができたものであり、特許法第２９条第２項の規定により特許を受けることが出来ない。
　よって、結論のとおり審決する。